(57)【要約】      （修正有）【課題】ワイヤレス通信のための、通信リソースを割り振って使用する方法および装置を提供する。【解決手段】ユーザ機器固有のパイロット信号のための第１のプリコーディング行列を使用して、第１の送信ランクを有するパイロット信号の送信を実行する３０２。ワイヤレス通信はまた、データ送信が、第１の送信ランクよりも低い第２の送信ランクを有するときに、第１のプリコーディング行列の変換されたバージョンを含む、データのための第２のプリコーディング行列を使用して、データ送信を実行する３０４。データ送信が、第１の送信ランクよりも低いまたは等しい第２の送信ランクを有するときに、データのための少なくとも２つのプリコーディング行列を使用して、データ送信を実行できる。したがって、データに使用されるプリコーディング行列は、ユーザ機器固有のパイロット信号に使用されるプリコーディング行列の変換されたバージョンである。【選択図】図３
2015057902.tif 000002
【特許請求の範囲】
【請求項１】
ワイヤレス通信方法において、
ユーザ機器固有のパイロット信号のためのプリコーディング行列を使用して、パイロット信号の送信を実行することと、
データのための少なくとも２つのプリコーディング行列を使用して、データ送信を実行することとを含み、
前記パイロット信号の送信は、第１の送信ランクを有し、
前記データ送信は、前記第１の送信ランクよりも低い、または、前記第１の送信ランクに等しい、第２の送信ランクを有し、
前記データに対して使用されるプリコーディング行列は、前記ユーザ機器固有のパイロット信号に対して使用されるプリコーディング行列の変換されたバージョンを含む方法。
【請求項２】
ユーザ機器フィードバックまたはアップリンク測定値に基づいて、前記第１の送信ランクと前記第２の送信ランクとを決定することをさらに含む請求項１記載の方法。
【請求項３】
前記第１の送信ランクおよび前記第２の送信ランクをユーザ機器に提供することをさらに含む請求項１記載の方法。
【請求項４】
前記プリコーディング行列の前記変換されたバージョンは、少なくとも、直交周波数分割多重化（ＯＦＤＭ）シンボル数、副搬送波のインデックス、または、ユーザ機器のパラメータの関数として実行される請求項１記載の方法。
【請求項５】
前記データを復調するためのチャネル推定を取得するために、ユーザ機器参照信号（ＵＥ−ＲＳ）から取得したチャネル推定を変換するための情報をユーザ機器に伝えることをさらに含む請求項１記載の方法。
【請求項６】
ワイヤレス通信装置において、
ユーザ機器固有のパイロット信号のためのプリコーディング行列を使用して、パイロット信号の送信を実行する手段と、
データのための少なくとも２つのプリコーディング行列を使用して、データ送信を実行する手段とを具備し、
前記パイロット信号の送信は、第１の送信ランクを有し、
前記データ送信は、前記第１の送信ランクに等しい第２の送信ランクを有し、
前記データに対して使用されるプリコーディング行列は、前記ユーザ機器固有のパイロット信号に対して使用されるプリコーディング行列の変換されたバージョンを含む装置。
【請求項７】
ユーザ機器フィードバックまたはアップリンク測定値に基づいて、前記第１の送信ランクと前記第２の送信ランクとを決定する手段をさらに具備する請求項６記載の装置。
【請求項８】
前記第１の送信ランクおよび前記第２の送信ランクをユーザ機器に提供する手段をさらに具備する請求項６記載の装置。
【請求項９】
前記プリコーディング行列の前記変換されたバージョンは、少なくとも、直交周波数分割多重化（ＯＦＤＭ）シンボル数、副搬送波のインデックス、または、ユーザ機器のパラメータの関数として実行される請求項６記載の装置。
【請求項１０】
前記データを復調するためのチャネル推定を取得するために、ユーザ機器参照信号（ＵＥ−ＲＳ）から取得したチャネル推定を変換するための情報をユーザ機器に伝える手段をさらに具備する請求項６記載の装置。
【請求項１１】
ワイヤレス通信装置において、
ユーザ機器固有のパイロット信号のためのプリコーディング行列を使用して、パイロット信号の送信を実行し、
データのための少なくとも２つのプリコーディング行列を使用して、データ送信を実行する、
ための命令を記憶するメモリと、
前記命令を実行するプロセッサとを具備し、
前記パイロット信号の送信は、第１の送信ランクを有し、
前記データ送信は、前記第１の送信ランクに等しい第２の送信ランクを有し、
前記データに対して使用されるプリコーディング行列は、前記ユーザ機器固有のパイロット信号に対して使用されるプリコーディング行列の変換されたバージョンを含む装置。
【請求項１２】
命令を記憶する有体的なコンピュータ読取可能媒体を具備するコンピュータプログラムプロダクトにおいて、
前記命令は、
ユーザ機器固有のパイロット信号のためのプリコーディング行列を使用して、パイロット信号の送信を実行するためのコードと、
データのための少なくとも２つのプリコーディング行列を使用して、データ送信を実行するためのコードとを含み、
前記パイロット信号の送信は、第１の送信ランクを有し、
前記データ送信は、前記第１の送信ランクに等しい第２の送信ランクを有し、
前記データに対して使用されるプリコーディング行列は、前記ユーザ機器固有のパイロット信号に対して使用されるプリコーディング行列の変換されたバージョンを含むコンピュータプログラムプロダクト。
【請求項１３】
ワイヤレス通信方法において、
ユーザ機器固有のパイロット信号のための第１のプリコーディング行列を使用して、パイロット信号の送信を実行することと、
データのための第２のプリコーディング行列を使用して、データ送信を実行することとを含み、
前記パイロット信号の送信は、第１の送信ランクを有し、
前記データ送信は、前記第１の送信ランクよりも低い第２の送信ランクを有し、
前記第２のプリコーディング行列は、前記第１のプリコーディング行列の変換されたバージョンを含む方法。
【請求項１４】
ユーザ機器フィードバックまたはアップリンク測定値に基づいて、前記第１の送信ランクと前記第２の送信ランクとを決定することをさらに含む請求項１３記載の方法。
【請求項１５】
前記第１の送信ランクおよび前記第２の送信ランクをユーザ機器に提供することをさらに含む請求項１３記載の方法。
【請求項１６】
ワイヤレス通信装置において、
ユーザ機器固有のパイロット信号のための第１のプリコーディング行列を使用して、パイロット信号の送信を実行する手段と、
データのための第２のプリコーディング行列を使用して、データ送信を実行する手段とを具備し、
前記パイロット信号の送信は、第１の送信ランクを有し、
前記データ送信は、前記第１の送信ランクよりも低い第２の送信ランクを有し、
前記第２のプリコーディング行列は、前記第１のプリコーディング行列の変換されたバージョンを含む装置。
【請求項１７】
ユーザ機器フィードバックまたはアップリンク測定値に基づいて、前記第１の送信ランクと前記第２の送信ランクとを決定する手段をさらに具備する請求項１６記載の装置。
【請求項１８】
前記第１の送信ランクおよび前記第２の送信ランクをユーザ機器に提供する手段をさらに具備する請求項１６記載の装置。
【請求項１９】
ワイヤレス通信装置において、
ユーザ機器固有のパイロット信号のための第１のプリコーディング行列を使用して、パイロット信号の送信を実行し、
データのための第２のプリコーディング行列を使用して、データ送信を実行する、
ための命令を記憶するメモリと、
前記命令を実行するプロセッサとを具備し、
前記パイロット信号の送信は、第１の送信ランクを有し、
前記データ送信は、前記第１の送信ランクよりも低い第２の送信ランクを有し、
前記第２のプリコーディング行列は、前記第１のプリコーディング行列の変換されたバージョンを含む装置。
【請求項２０】
命令を記憶する有体的なコンピュータ読取可能媒体を具備するコンピュータプログラムプロダクトにおいて、
前記命令は、
ユーザ機器固有のパイロット信号のための第１のプリコーディング行列を使用して、パイロット信号の送信を実行するためのコードと、
データのための第２のプリコーディング行列を使用して、データ送信を実行するためのコードとを含み、
前記パイロット信号の送信は、第１の送信ランクを有し、
前記データ送信は、前記第１の送信ランクよりも低い第２の送信ランクを有し、
前記第２のプリコーディング行列は、前記第１のプリコーディング行列の変換されたバージョンを含むコンピュータプログラムプロダクト。
【請求項２１】
ユーザ機器参照信号を使用して、巡回遅延ダイバーシティ送信を選択的に提供する方法において、
前記方法は、
基地局とユーザ機器との間のチャネルの動作状態を決定することと、
前記決定した動作状態に基づいて、前記ユーザ機器に送信モードをシグナリングすることとを含み、
少なくとも１つの送信スキームは、第１のプリコーディング行列を使用する、リソースブロックでのユーザ機器固有のパイロット送信と、前記第１のプリコーディング行列の変換されたバージョンのうちの１つ以上を使用する、前記リソースブロックでのデータ送信とを含む方法。
【請求項２２】
前記動作状態を決定することは、前記ユーザ機器のドップラースピードを決定することを含む請求項２１記載の方法。
【請求項２３】
前記パイロット送信は第１の送信ランクを有し、前記データ送信は第２の送信ランクを有する請求項２１記載の方法。
【請求項２４】
前記データ送信は、第２の送信ランクが第１の送信ランクに等しいときに、少なくとも２つのプリコーディング行列を使用する請求項２１記載の方法。
【請求項２５】
前記パイロット送信は、ユーザ機器固有のパイロット信号のための第１のプリコーディング行列を使用する請求項２１記載の方法。
【請求項２６】
ユーザ機器フィードバックまたはアップリンク測定値に基づいて、第１の送信ランクと第２の送信ランクとを決定することをさらに含む請求項２１記載の方法。
【請求項２７】
第１の送信ランクおよび第２の送信ランクを前記ユーザ機器に提供することをさらに含む請求項２１記載の方法。
【請求項２８】
ユーザ機器参照信号（ＵＥ−ＲＳ）を使用して、巡回遅延ダイバーシティ（ＣＤＤ）送信を選択的に提供する装置において、
基地局とユーザ機器（ＵＥ）との間のチャネルの動作状態を決定する手段と、
前記決定した動作状態に基づいて、前記ユーザ機器に送信モードをシグナリングする手段とを具備し、
少なくとも１つの送信スキームは、第１のプリコーディング行列を使用する、リソースブロックでのユーザ機器固有のパイロット送信と、前記第１のプリコーディング行列の変換されたバージョンのうちの１つ以上を使用する、前記リソースブロックでのデータ送信とを含む装置。
【請求項２９】
前記動作状態を決定する手段は、前記ユーザ機器のドップラースピードを決定する手段を備える請求項２８記載の装置。
【請求項３０】
前記パイロット送信は第１の送信ランクを有し、前記データ送信は第２の送信ランクを有する請求項２８記載の装置。
【請求項３１】
前記データ送信は、第２の送信ランクが第１の送信ランクに等しいときに、少なくとも２つのプリコーディング行列を使用する請求項２８記載の装置。
【請求項３２】
前記パイロット送信は、ユーザ機器固有のパイロット信号のための第１のプリコーディング行列を使用する請求項２８記載の装置。
【請求項３３】
ユーザ機器フィードバックまたはアップリンク測定値に基づいて、第１の送信ランクと第２の送信ランクとを決定する手段をさらに具備する請求項２８記載の装置。
【請求項３４】
第１の送信ランクおよび第２の送信ランクを前記ユーザ機器に提供する手段をさらに具備する請求項２８記載の装置。
【請求項３５】
ワイヤレス通信装置において、
基地局とユーザ機器との間のチャネルの動作状態を決定し、
前記決定した動作状態に基づいて、前記ユーザ機器に送信モードをシグナリングする、
ための命令を記憶するメモリと、
前記命令を実行するプロセッサとを具備し、
少なくとも１つの送信スキームは、第１のプリコーディング行列を使用する、リソースブロックでのユーザ機器固有のパイロット送信と、前記第１のプリコーディング行列の変換されたバージョンのうちの１つ以上を使用する、前記リソースブロックでのデータ送信とを含む装置。
【請求項３６】
命令を記憶する有体的なコンピュータ読取可能媒体を具備するコンピュータプログラムプロダクトにおいて、
前記命令は、
基地局とユーザ機器との間のチャネルの動作状態を決定するためのコードと、
前記決定した動作状態に基づいて、前記ユーザ機器に送信モードをシグナリングするためのコードとを含み、
少なくとも１つの送信スキームは、第１のプリコーディング行列を使用する、リソースブロックでのユーザ機器固有パイロット送信と、前記第１のプリコーディング行列の変換されたバージョンのうちの１つ以上を使用する、前記リソースブロックでのデータ送信とを含むコンピュータプログラムプロダクト。
【請求項３７】
ワイヤレス通信方法において、
ユーザ機器固有のパイロット信号のための第１のプリコーディング行列を使用するパイロット信号の送信を受信することと、
データのための第２のプリコーディング行列を使用するデータ送信を受信することとを含み、
前記パイロット信号の送信は、第１の送信ランクを有し、
前記データ送信は、前記第１の送信ランクよりも低い第２の送信ランクを有し、
前記第２のプリコーディング行列は、前記第１のプリコーディング行列の変換されたバージョンを含む方法。
【請求項３８】
前記第１の送信ランクおよび前記第２の送信ランクの値を受信することをさらに含む請求項３７記載の方法。
【請求項３９】
ワイヤレス通信装置において、
ユーザ機器固有のパイロット信号のための第１のプリコーディング行列を使用するパイロット信号の送信を受信する手段と、
データのための第２のプリコーディング行列を使用するデータ送信を受信する手段とを具備し、
前記パイロット信号の送信は、第１の送信ランクを有し、
前記データ送信は、前記第１の送信ランクよりも低い第２の送信ランクを有し、
前記第２のプリコーディング行列は、前記第１のプリコーディング行列の変換されたバージョンを含む装置。
【請求項４０】
前記第１の送信ランクおよび前記第２の送信ランクの値を受信する手段をさらに具備する請求項３９記載の装置。
【請求項４１】
ワイヤレス通信装置において、
ユーザ機器固有のパイロット信号のための第１のプリコーディング行列を使用するパイロット信号の送信を受信し、
データのための第２のプリコーディング行列を使用するデータ送信を受信する、
ための命令を記憶するメモリと、
前記命令を実行するプロセッサとを具備し、
前記パイロット信号の送信は、第１の送信ランクを有し、
前記データ送信は、前記第１の送信ランクよりも低い第２の送信ランクを有し、
前記第２のプリコーディング行列は、前記第１のプリコーディング行列の変換されたバージョンを含む装置。
【請求項４２】
命令を記憶する有体的なコンピュータ読取可能媒体を具備するコンピュータプログラムプロダクトにおいて、
前記命令は、
ユーザ機器固有のパイロット信号のための第１のプリコーディング行列を使用するパイロット信号の送信を受信するためのコードと、
データのための第２のプリコーディング行列を使用するデータ送信を受信するためのコードとを含み、
前記パイロット信号の送信は、第１の送信ランクを有し、
前記データ送信は、前記第１の送信ランクよりも低い第２の送信ランクを有し、
前記第２のプリコーディング行列は、前記第１のプリコーディング行列の変換されたバージョンを含むコンピュータプログラムプロダクト。
【請求項４３】
ワイヤレス通信方法において、
ユーザ機器固有のパイロット信号のためのプリコーディング行列を使用するパイロット信号の送信を受信することと、
データのための少なくとも２つのプリコーディング行列を使用するデータ送信を受信することとを含み、
前記パイロット信号の送信は、第１の送信ランクを有し、
前記データ送信は、前記第１の送信ランクに等しい第２の送信ランクを有し、
前記データに対して使用されるプリコーディング行列は、前記ユーザ機器固有のパイロット信号に対して使用されるプリコーディング行列の変換されたバージョンである方法。
【請求項４４】
前記第１の送信ランクおよび前記第２の送信ランクの値を受信することをさらに含む請求項４３記載の方法。
【請求項４５】
ワイヤレス通信装置において、
ユーザ機器固有のパイロット信号のためのプリコーディング行列を使用するパイロット信号の送信を受信する手段と、
データのための少なくとも２つのプリコーディング行列を使用するデータ送信を受信する手段とを具備し、
前記パイロット信号の送信は、第１の送信ランクを有し、
前記データ送信は、前記第１の送信ランクに等しい第２の送信ランクを有し、
前記データに対して使用されるプリコーディング行列は、前記ユーザ機器固有のパイロット信号に対して使用されるプリコーディング行列の変換されたバージョンである装置。
【請求項４６】
前記第１の送信ランクおよび前記第２の送信ランクの値を受信する手段をさらに具備する請求項４５記載の装置。
【請求項４７】
ワイヤレス通信装置において、
ユーザ機器固有のパイロット信号のためのプリコーディング行列を使用するパイロット信号の送信を受信し、
データのための少なくとも２つのプリコーディング行列を使用するデータ送信を受信する、
ための命令を記憶するメモリと、
前記命令を実行するプロセッサとを具備し、
前記パイロット信号の送信は、第１の送信ランクを有し、
前記データ送信は、前記第１の送信ランクに等しい第２の送信ランクを有し、
前記データに対して使用されるプリコーディング行列は、前記ユーザ機器固有のパイロット信号に対して使用されるプリコーディング行列の変換されたバージョンである装置。
【請求項４８】
命令を記憶する有体的なコンピュータ読取可能媒体を具備するコンピュータプログラムプロダクトにおいて、
前記命令は、
ユーザ機器固有のパイロット信号のためのプリコーディング行列を使用するパイロット信号の送信を受信するためのコードと、
データのための少なくとも２つのプリコーディング行列を使用するデータ送信を受信するためのコードとを含み、
前記パイロット信号の送信は、第１の送信ランクを有し、
前記データ送信は、前記第１の送信ランクに等しい第２の送信ランクを有し、
前記データに対して使用されるプリコーディング行列は、前記ユーザ機器固有のパイロット信号に対して使用されるプリコーディング行列の変換されたバージョンであるコンピュータプログラムプロダクト。
【請求項４９】
ユーザ機器参照信号（ＵＥ−ＲＳ）を使用して、巡回遅延ダイバーシティ（ＣＤＤ）送信を選択的に受信する方法において、
前記方法は、
送信モードを受信することと、
前記受信した送信モードに基づいて、プリコーディング行列を使用する、リソースブロック中での、パイロット送信と、前記プリコーディング行列の変換されたバージョンを使用する、前記リソースブロック中での、データ送信とを受信することとを含む方法。
【請求項５０】
第１の送信ランクおよび第２の送信ランクの値を受信することをさらに含む請求項４９記載の方法。
【請求項５１】
前記受信したパイロット送信は第１の送信ランクを有し、前記受信したデータ送信は第２の送信ランクを有する請求項４９記載の方法。
【請求項５２】
前記データ送信は、第２の送信ランクが第１の送信ランクに等しいときに、少なくとも２つのプリコーディング行列を使用する請求項４９記載の方法。
【請求項５３】
前記パイロット送信は、ユーザ機器固有のパイロット信号のためのプリコーディング行列を使用する請求項４９記載の方法。
【請求項５４】
ユーザ機器参照信号（ＵＥ−ＲＳ）を使用する巡回遅延ダイバーシティ（ＣＤＤ）送信を選択的に受信する装置において、
送信モードを受信する手段と、
前記受信した送信モードに基づいて、プリコーディング行列を使用する、リソースブロック中での、パイロット送信と、前記プリコーディング行列の変換されたバージョンを使用する、前記リソースブロックでの、データ送信とを受信する手段とを具備する装置。
【請求項５５】
第１の送信ランクおよび第２の送信ランクの値を受信する手段をさらに具備する請求項５４記載の装置。
【請求項５６】
前記受信したパイロット送信は第１の送信ランクを有し、前記受信したデータ送信は第２の送信ランクを有する請求項５４記載の装置。
【請求項５７】
前記データ送信は、第２の送信ランクが第１の送信ランクに等しいときに、少なくとも２つのプリコーディング行列を使用する請求項５４記載の装置。
【請求項５８】
前記パイロット送信は、ユーザ機器固有のパイロット信号のためのプリコーディング行列を使用する請求項５４記載の装置。
【請求項５９】
ワイヤレス通信装置において、
送信モードを受信し、
前記受信した送信モードに基づいて、プリコーディング行列を使用する、リソースブロック中での、パイロット送信と、前記プリコーディング行列の変換されたバージョンを使用する、前記リソースブロック中での、データ送信とを受信する、
ための命令を記憶するメモリと、
前記命令を実行するプロセッサとを具備する装置。
【請求項６０】
ユーザ機器参照信号（ＵＥ−ＲＳ）を使用する巡回遅延ダイバーシティ（ＣＤＤ）送信を選択的に受信するための命令を含む有体的なコンピュータ読取可能メモリを具備するコンピュータプログラムプロダクトにおいて、
前記命令は、
送信モードを受信するためのコードと、
前記送信モードに基づいて、プリコーディング行列と、前記プリコーディング行列の変換されたバージョンとをそれぞれ使用する、リソースブロック中での、パイロット送信およびデータ送信を受信するためのコードとを含むコンピュータプログラムプロダクト。
【発明の詳細な説明】
【関連出願に対する相互参照】
【０００１】
本願は、２０１０年１０月７日に出願された、米国仮出願第６１／３９１，０１６号と、２０１１年５月３日に出願された、米国仮出願第６１／４８２，１６４号との、合衆国法典第３５部第１１９条（ｅ）に準拠した利益を主張し、これらの出願は、それらのすべてが、参照により、明確にここに組み込まれている。
【分野】
【０００２】
本開示は、一般的に、ワイヤレス通信に関し、さらに詳細には、複数入力複数出力（ＭＩＭＯ）ワイヤレス通信システム中で、送信リソースを割り振って使用するための技術に関する。
【背景】
【０００３】
ワイヤレス通信システムは、音声、ビデオ、パケットデータ、メッセージング、ブロードキャストのような、さまざまな通信コンテンツを提供するように、幅広く展開されている。これらのワイヤレスシステムは、利用可能なシステムリソースを共有することによって、複数のユーザをサポートすることができる多元接続システムであってもよい。このような多元接続システムの例は、コード分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、および、単一搬送波ＦＤＭＡ（ＳＣ−ＦＤＭＡ）システムを含む。
【０００４】
ワイヤレス通信システムは、多数のユーザ機器（ＵＥ）に対する通信をサポートできる多数の基地局を含んでもよい。基地局は、複数の送信アンテナおよび／または受信アンテナを備えていてもよい。各ＵＥは、複数の送信アンテナおよび／または受信アンテナを備えていてもよい。ロングタームエボリューション（ＬＴＥ）標準規格のリリース８バージョンおよびリリース９バージョンのような、ある設計では、基地局は、ＵＥと基地局との間のチャネルの推定に基づいて選ばれたプリコーディング行列を使用して、ビームフォーミングのようなデータ送信技術を使用する、パイロット送信およびデータ送信を実行してもよい。しかしながら、高速で動いているＵＥに対しては、または、チャネルが急速に変化しているときには、送信の間の実際のチャネルは、チャネルの計算された推定とかなり異なっていることがある。高速で変化するチャネルを通して送信するときに、スループットを改善することが望ましいことがある。
【概要】
【０００５】
これらの問題および他の問題は、ユーザ機器参照信号（ＵＥ−ＲＳ）のような参照信号による巡回遅延ダイバーシティスキームを使用する、開示する開ループビームフォーミング技術によって解決される。
【０００６】
本開示の例示的な態様では、ユーザ機器固有のパイロット信号のためのプリコーディング行列を使用して、パイロット信号の送信を実行することと、データのための少なくとも２つのプリコーディング行列を使用して、データ送信を実行することとを含み、パイロット信号の送信は、第１の送信ランクを有し、データ送信は、第１の送信ランクよりも低い、または、第１の送信ランクに等しい、第２の送信ランクを有し、少なくとも２つのプリコーディング行列のうちの少なくとも１つは、ユーザ機器固有のパイロット信号のためのプリコーディング行列の変換されたバージョンを含む、ワイヤレス通信方法を開示する。
【０００７】
本開示の別の例示的な態様では、ユーザ機器固有のパイロット信号のためのプリコーディング行列を使用して、パイロット信号の送信を実行する手段と、データのための少なくとも２つのプリコーディング行列を使用して、データ送信を実行する手段とを備え、パイロット信号の送信は、第１の送信ランクを有し、データ送信は、第１の送信ランクよりも低い、または、第１の送信ランクに等しい、第２の送信ランクを有し、少なくとも２つのプリコーディング行列のうちの少なくとも１つは、ユーザ機器固有のパイロット信号のためのプリコーディング行列の変換されたバージョンを含む、ワイヤレス通信装置を開示する。
【０００８】
本開示の別の例示的な態様では、ユーザ機器固有のパイロット信号のためのプリコーディング行列を使用して、パイロット信号の送信を実行し、データのための少なくとも２つのプリコーディング行列を使用して、データ送信を実行するための命令を記憶するメモリと、命令を実行するプロセッサとを備え、パイロット信号の送信は、第１の送信ランクを有し、データ送信は、第１の送信ランクよりも低い、または、第１の送信ランクに等しい、第２の送信ランクを有し、少なくとも２つのプリコーディング行列のうちの少なくとも１つは、ユーザ機器固有のパイロット信号のためのプリコーディング行列の変換されたバージョンを含む、ワイヤレス通信装置を開示する。
【０００９】
本開示の別の例示的な態様では、ユーザ機器固有のパイロット信号のためのプリコーディング行列を使用して、パイロット信号の送信を実行するためのコードと、データのための少なくとも２つのプリコーディング行列を使用して、データ送信を実行するためのコードとを含む命令を記憶する有体的なコンピュータ読取可能媒体を備え、パイロット信号の送信は、第１の送信ランクを有し、データ送信は、第１の送信ランクよりも低い、または、第１の送信ランクに等しい、第２の送信ランクを有し、少なくとも２つのプリコーディング行列のうちの少なくとも１つは、ユーザ機器固有のパイロット信号のためのプリコーディング行列の変換されたバージョンを含む、コンピュータプログラムプロダクトを開示する。
【００１０】
本開示の別の例示的な態様では、ユーザ機器固有のパイロット信号のための第１のプリコーディング行列を使用して、パイロット信号の送信を実行することと、データのための第２のプリコーディング行列を使用して、データ送信を実行することとを含み、パイロット信号の送信は、第１の送信ランクを有し、データ送信は、第１の送信ランクよりも低い第２の送信ランクを有し、第２のプリコーディング行列は、第１のプリコーディング行列の変換されたバージョンを含む、ワイヤレス通信方法を開示する。
【００１１】
本開示の別の例示的な態様では、ユーザ機器固有のパイロット信号のための第１のプリコーディング行列を使用して、パイロット信号の送信を実行する手段と、データのための第２のプリコーディング行列を使用して、データ送信を実行する手段とを備え、パイロット信号の送信は、第１の送信ランクを有し、データ送信は、第１の送信ランクよりも低い第２の送信ランクを有し、第２のプリコーディング行列は、第１のプリコーディング行列の変換されたバージョンを含む、ワイヤレス通信装置を開示する。
【００１２】
本開示の別の例示的な態様では、ユーザ機器固有のパイロット信号のための第１のプリコーディング行列を使用して、パイロット信号の送信を実行し、データのための第２のプリコーディング行列を使用して、データ送信を実行するための命令を記憶するメモリと、命令を実行するプロセッサとを備え、パイロット信号の送信は、第１の送信ランクを有し、データ送信は、第１の送信ランクよりも低い第２の送信ランクを有し、第２のプリコーディング行列は、第１のプリコーディング行列の変換されたバージョンを含む、ワイヤレス通信装置を開示する。
【００１３】
本開示の別の例示的な態様では、命令を記憶する有体的なコンピュータ読取可能媒体を備え、命令は、ユーザ機器固有のパイロット信号のための第１のプリコーディング行列を使用して、パイロット信号の送信を実行するためのコードと、データのための第２のプリコーディング行列を使用して、データ送信を実行するためのコードとを含み、パイロット信号の送信は、第１の送信ランクを有し、データ送信は、第１の送信ランクよりも低い第２の送信ランクを有し、第２のプリコーディング行列は、第１のプリコーディング行列の変換されたバージョンを含む、コンピュータプログラムプロダクトを開示する。
【００１４】
本開示の別の例示的な態様では、基地局とユーザ機器との間のチャネルの動作状態を決定することと、決定した動作状態に基づいて、ユーザ機器に送信モードをシグナリングすることとを含み、少なくとも１つの送信スキームは、第１のプリコーディング行列を使用する、リソースブロックでの、巡回遅延ダイバーシティ（ＣＤＤ）スキームを使用してのユーザ機器固有のパイロット送信と、第１のプリコーディング行列の変換されたバージョンのうちの１つ以上を使用する、リソースブロックでのデータ送信とを含む、ユーザ機器参照信号を使用して巡回遅延ダイバーシティ送信を選択的に提供する方法を開示する。
【００１５】
本開示の別の例示的な態様では、基地局とユーザ機器（ＵＥ）との間のチャネルの動作状態を決定する手段と、決定した動作状態に基づいて、ユーザ機器に送信モードをシグナリングする手段とを備え、少なくとも１つの送信スキームは、第１のプリコーディング行列を使用する、リソースブロックでのユーザ機器固有のパイロット送信と、第１のプリコーディング行列の変換されたバージョンのうちの１つ以上を使用する、リソースブロックでのデータ送信とを含む、ユーザ機器参照信号（ＵＥ−ＲＳ）を使用してＣＤＤ送信を選択的に提供する装置を開示する。
【００１６】
本開示の別の例示的な態様では、基地局とユーザ機器との間のチャネルの動作状態を決定し、決定した動作状態に基づいて、ユーザ機器に送信モードをシグナリングするための命令を記憶するメモリと、命令を実行するプロセッサとを備え、少なくとも１つの送信スキームは、第１のプリコーディング行列を使用する、リソースブロックでのユーザ機器固有のパイロット送信と、第１のプリコーディング行列の変換されたバージョンのうちの１つ以上を使用する、リソースブロックでのデータ送信とを含む、ワイヤレス通信装置を開示する。
【００１７】
本開示の別の例示的な態様では、命令を記憶する有体的なコンピュータ読取可能媒体を備え、命令は、基地局とユーザ機器との間のチャネルの動作状態を決定するためのコードと、決定した動作状態に基づいて、ユーザ機器に送信モードをシグナリングするためのコードとを含み、少なくとも１つの送信スキームは、第１のプリコーディング行列を使用する、リソースブロックでのユーザ機器固有パイロット送信と、第１のプリコーディング行列の変換されたバージョンのうちの１つ以上を使用する、リソースブロックでのデータ送信とを含む、コンピュータプログラムプロダクトを開示する。
【００１８】
本開示の別の例示的な態様では、ユーザ機器固有のパイロット信号のための第１のプリコーディング行列を使用するパイロット信号の送信を受信することと、データのための第２のプリコーディング行列を使用するデータ送信を受信することとを含み、パイロット信号の送信は、第１の送信ランクを有し、データ送信は、第１の送信ランクよりも低い第２の送信ランクを有し、第２のプリコーディング行列は、第１のプリコーディング行列の変換されたバージョンを含む、ワイヤレス通信方法を開示する。
【００１９】
本開示の別の例示的な態様では、ユーザ機器固有のパイロット信号のための第１のプリコーディング行列を使用するパイロット信号の送信を受信する手段と、データのための第２のプリコーディング行列を使用するデータ送信を受信する手段とを備え、パイロット信号の送信は、第１の送信ランクを有し、データ送信は、第１の送信ランクよりも低い第２の送信ランクを有し、第２のプリコーディング行列は、第１のプリコーディング行列の変換されたバージョンを含む、ワイヤレス通信装置を開示する。
【００２０】
本開示の別の例示的な態様では、ユーザ機器固有のパイロット信号のための第１のプリコーディング行列を使用するパイロット信号の送信を受信し、データのための第２のプリコーディング行列を使用するデータ送信を受信するための命令を記憶するメモリと、命令を実行するプロセッサとを備え、パイロット信号の送信は、第１の送信ランクを有し、データ送信は、第１の送信ランクよりも低い第２の送信ランクを有し、第２のプリコーディング行列は、第１のプリコーディング行列の変換されたバージョンを含む、ワイヤレス通信装置を開示する。
【００２１】
本開示の別の例示的な態様では、命令を記憶する有体的なコンピュータ読取可能媒体を備え、命令は、ユーザ機器固有のパイロット信号のための第１のプリコーディング行列を使用するパイロット信号の送信を受信するためのコードと、データのための第２のプリコーディング行列を使用するデータ送信を受信するためのコードとを含み、パイロット信号の送信は、第１の送信ランクを有し、データ送信は、第１の送信ランクよりも低い第２の送信ランクを有し、第２のプリコーディング行列は、第１のプリコーディング行列の変換されたバージョンを含む、コンピュータプログラムプロダクトを開示する。
【００２２】
本開示の別の例示的な態様では、ユーザ機器固有のパイロット信号のためのプリコーディング行列を使用するパイロット信号の送信を受信することと、データのための少なくとも２つのプリコーディング行列を使用するデータ送信を受信することとを含み、パイロット信号の送信は、第１の送信ランクを有し、データ送信は、第１の送信ランクに等しい第２の送信ランクを有し、少なくとも２つのプリコーディング行列のうちの少なくとも１つは、ユーザ機器固有のパイロット信号のためのプリコーディング行列の変換されたバージョンを含む、ワイヤレス通信方法を開示する。
【００２３】
本開示の別の例示的な態様では、ユーザ機器固有のパイロット信号のためのプリコーディング行列を使用するパイロット信号の送信を受信する手段と、データのための少なくとも２つのプリコーディング行列を使用するデータ送信を受信する手段とを備え、パイロット信号の送信は、第１の送信ランクを有し、データ送信は、第１の送信ランクに等しい第２の送信ランクを有し、少なくとも２つのプリコーディング行列のうちの少なくとも１つは、ユーザ機器固有のパイロット信号のためのプリコーディング行列の変換されたバージョンを含む、ワイヤレス通信装置を開示する。
【００２４】
本開示の別の例示的な態様では、ユーザ機器固有のパイロット信号のためのプリコーディング行列を使用するパイロット信号の送信を受信し、データのための少なくとも２つのプリコーディング行列を使用するデータ送信を受信するための命令を記憶するメモリと、命令を実行するプロセッサとを備え、パイロット信号の送信は、第１の送信ランクを有し、データ送信は、第１の送信ランクに等しい第２の送信ランクを有し、少なくとも２つのプリコーディング行列のうちの少なくとも１つは、ユーザ機器固有のパイロット信号のためのプリコーディング行列の変換されたバージョンを含む、ワイヤレス通信装置を開示する。
【００２５】
本開示の別の例示的な態様では、命令を記憶する有体的なコンピュータ読取可能媒体を備え、命令は、ユーザ機器固有のパイロット信号のためのプリコーディング行列を使用するパイロット信号の送信を受信するためのコードと、データのための少なくとも２つのプリコーディング行列を使用するデータ送信を受信するためのコードとを含み、パイロット信号の送信は、第１の送信ランクを有し、データ送信は、第１の送信ランクに等しい第２の送信ランクを有し、少なくとも２つのプリコーディング行列のうちの少なくとも１つは、ユーザ機器固有のパイロット信号のためのプリコーディング行列の変換されたバージョンを含む、コンピュータプログラムプロダクトを開示する。
【００２６】
本開示の別の例示的な態様では、送信モードを受信することと、受信した送信モードに基づいて、プリコーディング行列を使用する、リソースブロック中での、パイロット送信を受信し、プリコーディング行列の変換されたバージョンを使用する、リソースブロック中での、データ送信を受信することとを含む、ユーザ機器参照信号（ＵＥ−ＲＳ）を使用して巡回遅延ダイバーシティ（ＣＤＤ）送信を選択的に受信する方法を開示する。
【００２７】
本開示の別の例示的な態様では、送信モードを受信する手段と、受信した送信モードに基づいて、プリコーディング行列を使用する、リソースブロック中での、パイロット送信と、プリコーディング行列の変換されたバージョンを使用する、リソースブロック中での、データ送信とを受信する手段とを備える、ユーザ機器参照信号（ＵＥ−ＲＳ）を使用する巡回遅延ダイバーシティ（ＣＤＤ）送信を選択的に受信する装置を開示する。
【００２８】
本開示の別の例示的な態様では、送信モードを受信し、受信した送信モードに基づいて、プリコーディング行列を使用する、リソースブロック中での、パイロット送信と、プリコーディング行列の変換されたバージョンを使用する、リソースブロック中での、データ送信とを受信するための命令を記憶するメモリと、命令を実行するプロセッサとを備える、ワイヤレス通信装置を開示する。
【００２９】
本開示の別の例示的な態様では、ユーザ機器参照信号（ＵＥ−ＲＳ）を使用する巡回遅延ダイバーシティ（ＣＤＤ）送信を選択的に受信するための命令を含む有体的なコンピュータ読取可能メモリを備え、命令は、送信モードを受信するためのコードと、送信モードに基づいて、プリコーディング行列と、プリコーディング行列の変換されたバージョンとをそれぞれ使用する、リソースブロック中での、パイロット送信およびデータ送信を受信するためのコードとを含む、コンピュータプログラムプロダクトを開示する。
【００３０】
本開示のさまざまな態様および特徴を、以下でさらに詳細に説明する。
【図面の簡単な説明】
【００３１】
【図１】図１は、ワイヤレス通信システムを図示する。
【図２】図２は、例示的な通信システムを図示する。
【図３】図３は、ワイヤレス通信の基地局のプロセスを説明したフローチャートである。
【図４】図４は、ワイヤレス通信送信機装置のブロックダイヤグラム表現である。
【図５】図５は、ワイヤレス通信の基地局のプロセスを説明したフローチャートである。
【図６】図６は、ワイヤレス通信送信機装置のブロックダイヤグラム表現である。
【図７】図７は、ワイヤレス通信のユーザ機器のプロセスを説明したフローチャートである。
【図８】図８は、ワイヤレス通信受信機装置のブロックダイヤグラム表現である。
【図９】図９は、ワイヤレス通信のユーザ機器のプロセスを説明したフローチャートである。
【図１０】図１０は、ワイヤレス通信受信機装置のブロックダイヤグラム表現である。
【詳細な説明】
【００３２】
以前に論じたように、高速で変化するチャネル条件の下で、送信性能を改善するためのメカニズムを提供する必要性がある。このような状況は、例えば、ユーザ機器が、基地局に対して高スピードで動いているときに生じるかもしれない。
【００３３】
いくつかの設計では、開ループビームフォーミングに対して、ユーザ機器固有参照信号（ＵＥ−ＲＳ）による巡回遅延ダイバーシティ（ＣＤＤ）のようなスキームが使用される。パイロット信号およびデータ信号は、通常、同じプリコーディング行列を使用して送信される。しかしながら、ＣＤＤスキームでは、いくつかのプリコーディング行列にわたってチャネルを循環させて、チャネルがエルゴード的に見えるようにするために、パイロット信号は、データ送信よりも高いまたはデータ送信と等しいランクを使用して送信され、データ送信は、パイロットのために使用されるプリコーディング行列の１つ以上のベクトルを線形的に結合することによって実行される。これらの態様および他の態様を、以下でさらに詳細に説明する。
【００３４】
簡潔におよび一般論として、基地局からＵＥへの送信のためのビームフォーミングを実行するために、ＵＥ−ＲＳのようなある参照信号が、基地局によって使用されてもよい。その理由は、ＵＥは、プリコーディング行列を知ることなく、ＵＥ−ＲＳから直接プリコーディングされたチャネルを取得できるためである。しかしながら、基地局とＵＥとの間のチャネルが時間的に変化するときに、ビームフォーミングを実行するときのチャネル条件が、使用されるビームの方向を計算したときのチャネル条件と異なる場合、ビームフォーミング戦略は損害を被るかもしれない。それゆえ、ある設計では、チャネルにおけるある時間的な変化の下では好ましいことがある単一のビームを使用するのではなく、データ送信に対して複数のビームを使用してもよい。複数のビームの使用は、以下でさらに論じるように、チャネルの平均的な容量に近い、より高い性能を結果として生じさせるかもしれない。
【００３５】
ここで説明する技術は、ＣＤＭＡ、ＴＤＭＡ、ＦＤＭＡ、ＯＦＤＭＡ、ＳＣ−ＦＤＭＡ、および、他のシステムのような、さまざまなワイヤレス通信システムに対して使用されてもよい。“システム”および“ネットワーク”という用語は、区別なく使用されることが多い。ＣＤＭＡシステムは、ユニバーサル地上無線アクセス（ＵＴＲＡ）、ｃｄｍａ２０００のような無線技術を実現してもよい。ＵＴＲＡは、ワイドバンドＣＤＭＡ（ＷＣＤＭＡ）（登録商標）と、ＣＤＭＡの他の変形とを含む。ｃｄｍａ２０００は、ＩＳ−２０００、ＩＳ−９５、および、ＩＳ−８５６の標準規格をカバーする。ＴＤＭＡシステムは、グローバルシステムフォーモバイルコミュニケーション（ＧＳＭ）（登録商標）のような無線技術を実現してもよい。ＯＦＤＭＡシステムは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（Ｗｉ−ＭＡＸ）、ＩＥＥＥ８０２．２０、フラッシュＯＦＤＭ（登録商標）のような無線技術を実現してもよい。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、ダウンリンク上ではＯＦＤＭＡを用い、アップリンク上ではＳＣ−ＦＤＭＡを用いるＥ−ＵＴＲＡを使用する、ＵＭＴＳの新しいリリースである。“第３世代パートナーシッププロジェクト（３ＧＰＰ）”という名の団体は、公表されている文書中で、ＵＴＲＡ、Ｅ−ＵＴＲＡ、ＵＭＴＳ、ＬＴＥ、ＬＴＥ−Ａ、および、ＧＳＭを記述している。“第３世代パートナーシッププロジェクト２（３ＧＰＰ２）”という名の別の団体は、公表されている文書中で、ｃｄｍａ２０００およびＵＭＢを記述している。先に述べたシステムおよび無線技術とともに、他のシステムおよび無線技術に対して、ここで説明した技術を使用してもよい。明確さのために、技術のある態様をＬＴＥ（および、ＬＴＥ−Ａ）に関して以下で説明し、以下の説明の大部分ではＬＴＥの専門用語を使用することがある。
【００３６】
図１は、ＬＴＥシステムまたは他の何らかのワイヤレスシステムであってもよい、ワイヤレス通信システム１００を示す。システム１００は、多数の進化型ノードＢ（ｅＮＢ）１１０と他のネットワークエンティティとを含んでもよい。ｅＮＢは、ＵＥと通信するエンティティであってもよく、基地局、ノードＢ、または、アクセスポイントとも呼ばれることがある。各ｅＮＢ１１０は、特定の地理的エリアに対する通信カバレッジを提供してもよく、カバレッジエリア内に位置するＵＥに対する通信をサポートしてもよい。容量を改善するために、ｅＮＢのカバレッジエリア全体を、複数の（例えば、３つの）より小さいエリアに区分してもよい。より小さい各エリアは、それぞれのｅＮＢサブシステムによって担当されてもよい。３ＧＰＰにおいて、“セル”という用語は、ｅＮＢ１１０の最も小さいカバレッジエリアのことを、および／または、このカバレッジエリアを担当しているｅＮＢサブシステムのことを指すことがある。
【００３７】
ＵＥ１２０は、システム１００全体を通して分散されていてもよく、各ＵＥ１２０は、静的なものまたは移動性のものであってもよい。ＵＥは、移動局、端末、アクセス端末、加入者ユニット、または、局と呼ばれることもある。ＵＥ１２０は、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、スマートフォン、タブレット、ネットブック、または、スマートブックであってもよい。 
ＬＴＥは、ダウンリンク上で直交周波数分割多重化（ＯＦＤＭ）を利用し、アップリンク上で単一搬送波周波数分割多重化（ＳＣ−ＦＤＭ）を利用する。ＯＦＤＭおよびＳＣ−ＦＤＭは、周波数範囲を複数の（Ｋs本の）直交副搬送波に区分し、これらの直交副搬送波は、通常、トーン、ビンとも呼ばれる。各副搬送波はデータによって変調されてもよい。一般に、変調シンボルは、ＯＦＤＭでは周波数ドメインにおいて送られ、ＳＣ−ＦＤＭでは時間ドメインにおいて送られる。隣接する副搬送波間の間隔は固定であってもよく、副搬送波の総数（Ｋs本）は、システム帯域幅に依存してもよい。例えば、Ｋsは、１．２５、２．５、５、１０、または２０メガヘルツ（ＭＨｚ）のシステム帯域幅に対して、それぞれ、１２８、２５６、５１２、１０２４、または、２０４８に等しくてもよい。システム帯域幅は、Ｋs本の総副搬送波のサブセットに対応していてもよい。
【００３８】
図２は、例示的な基地局／ｅＮＢ１１０およびＵＥ１２０の設計のブロックダイヤグラムを示しており、この基地局／ｅＮＢ１１０およびＵＥ１２０は、図１中の、ｅＮＢのうちの１つ、および、ＵＥのうちの１つであってもよい。ＵＥ１２０には、Ｔ本のアンテナ１２３４ａないし１２３４ｔが装備されていてもよく、基地局１１０には、Ｒ本のアンテナ１２５２ａないし１２５２ｒが装備されていてもよく、ここで、一般に、Ｔ≧１かつＲ≧１である。
【００３９】
ＵＥ１２０において、送信プロセッサ１２２０は、データソース１２１２からデータを受け取ってもよく、制御装置／プロセッサ１２４０から制御情報を受け取ってもよい。送信プロセッサ１２２０は、データと制御情報とを処理し（例えば、エンコードし、インターリーブし、および、シンボルマッピングし）、データシンボルと制御シンボルとをそれぞれ提供してもよい。送信プロセッサ１２２０はまた、ＵＥ１２０に割り当てられた１つ以上のＲＳシーケンスに基づいて、複数の近接していないクラスタに対して、１つ以上の復調参照信号を発生させてもよく、基準シンボルを提供してもよい。送信（ＴＸ）複数入力複数出力（ＭＩＭＯ）プロセッサ１２３０は、適用可能な場合に、データシンボル、制御シンボル、および／または、送信プロセッサ１２２０からの参照信号に関して空間処理（例えば、プリコーディング）を実行してもよく、Ｔ個の変調器（ＭＯＤ）１２３２ａないし１２３２ｔにＴ個の出力シンボルストリームを提供してもよい。各変調器１２３２は、（例えば、ＳＣ−ＦＤＭＡ、ＯＦＤＭのために）それぞれの出力シンボルストリームを処理して、出力サンプルストリームを取得してもよい。各変調器１２３２は、出力サンプルストリームをさらに処理し（例えば、アナログにコンバートし、増幅させ、フィルタリングし、および、アップコンバートし）、アップリンク信号を取得してもよい。変調器１２３２ａないし１２３２ｔからのＴ個のアップリンク信号は、それぞれ、Ｔ本のアンテナ１２３４ａないし１２３４ｔを介して送信されてもよい。
【００４０】
各データストリームに対するコード化されたデータは、ＯＦＤＭ技術を使用して、パイロットデータと多重化されてもよい。パイロットデータは、通常、既知の方法で処理される既知のデータパターンであり、チャネル応答を推定するために、受信機システムにおいて使用されてもよい。その後、各データストリームに対する多重化されたパイロットおよびコード化データは、そのデータストリームに対して選択された特定の変調スキーム（例えば、ＢＰＳＫ、ＱＳＰＫ、Ｍ−ＰＳＫ、または、Ｍ−ＱＡＭ）に基づいて、変調（すなわち、シンボルマッピング）され、変調シンボルを提供することができる。各データストリームに対する、データレート、コード化、および変調は、制御装置／プロセッサ１２４０により実行される命令によって決定されてもよい。
【００４１】
基地局１１０において、アンテナ１２５２ａないし１２５２ｒは、ＵＥ１２０からアップリンク信号を受信してもよく、受信信号を復調器（ＤＥＭＯＤ）１２５４ａないし１２５４ｒにそれぞれ提供してもよい。各復調器１２５４は、それぞれの受信信号を調整して（例えば、フィルタリングして、増幅させて、ダウンコンバートして、および、デジタル化して）、受信サンプルを取得してもよい。各復調器１２５４は、受信サンプルをさらに処理して、受信シンボルを取得してもよい。チャネルプロセッサ／ＭＩＭＯ検出器１２５６は、すべてのＲ個の復調器１２５４ａないし１２５４ｒから受信シンボルを取得してもよい。チャネルプロセッサ１２５６は、ＵＥ１２０から受信した復調参照信号に基づいて、ＵＥ１２０から基地局１１０へのワイヤレスチャネルに対するチャネル推定を導出してもよい。ＭＩＭＯ検出器１２５６は、チャネル推定に基づいて、受信シンボルに関してＭＩＭＯ検出／復調を実行してもよく、検出されたシンボルを提供してもよい。受信プロセッサ１２５８は、検出されたシンボルを処理し（例えば、シンボルデマッピングし、デインターリーブし、および、デコードし）、デコードしたデータをデータシンク１２６０に提供し、デコードした制御情報を制御装置／プロセッサ１２８０に提供してもよい。
【００４２】
ダウンリンク上では、基地局１１０において、データソース１２６２からのデータと、制御装置／プロセッサ１２８０からの制御情報とが、送信プロセッサ１２６４によって処理され、適用可能である場合には、ＴＸ ＭＩＭＯプロセッサ１２６６によってプリコーディングされ、変調器１２５４ａないし１２５４ｒによって調整され、ＵＥ１２０に送信される。ＵＥ１２０において、基地局１１０からのダウンリンク信号は、アンテナ１２３４により受信され、復調器１２３２により調整され、チャネル推定器／ＭＩＭＯ検出器１２３６により処理され、受信プロセッサ１２３８によりさらに処理されて、ＵＥ１２０に送られたデータおよび制御情報を取得してもよい。プロセッサ１２３８は、デコードしたデータをデータシンク１２３９に提供し、デコードした制御情報を制御装置／プロセッサ１２４０に提供してもよい。
【００４３】
制御装置／プロセッサ１２４０および１２８０は、それぞれ、ＵＥ１２０および基地局１１０における動作を指示してもよい。ＵＥ１２０における、プロセッサ１２２０、プロセッサ１２４０ならびに／あるいは他のプロセッサおよびモジュールは、図７中のプロセス７００を、図９中のプロセス９００を、および／または、ここで説明する技術に対する他のプロセスを、実行または指示してもよい。基地局１１０における、プロセッサ１２５６、プロセッサ１２８０ならびに／あるいは他のプロセッサおよびモジュールは、図３中のプロセス３００を、図５中のプロセス５００を、および／または、ここで説明した技術に対する他のプロセスを、実行または指示してもよい。メモリ１２４２および１２８２は、それぞれ、ＵＥ１２０ならびに基地局１１０に対するデータおよびプログラムコードを記憶してもよい。スケジューラ１２８４は、ダウンリンク送信および／またはアップリンク送信に対してＵＥをスケジュールしてもよく、スケジュールしたＵＥに対して、リソースの割り振り（例えば、複数の近接していないクラスタ、復調参照信号に対するＲＳシーケンスの割り当て）を提供してもよい。
【００４４】
上述したように、高速で時間的に変化するチャネルのシナリオの下で、性能を改善する必要性が存在する。“高速”または”高スピード”という用語は、必ずしも、絶対的な値を暗示するものではなく、チャネルを推定したときと、チャネル推定に基づいて選択したプリコーディング行列を使用して送信を実行するときとの間の時間期間に関する、チャネル条件の変化の相対的なレートを示すために使用される。例えば、いくつかの設計では、１つのサブフレーム期間から次のサブフレーム期間へと変化したチャネルが、“高速で時間的に変化している”と考えられてもよい。
【００４５】
ワイヤレス通信のためのアドバンストロングタームエボリューション標準規格（ＬＴＥ−Ａ）では、２つの新しいタイプの参照信号が規定された。すなわち、フィードバックの目的のためにチャネル推定に対して使用されるチャネル状態情報参照信号（ＣＳＩ−ＲＳ）と、データリソースブロック（ＲＢ）上でデータとともに送られるプリコーディングされたパイロットである、ＵＥ−ＲＳである。パイロットのために使用されるプリコーディングは、データと同じである。
【００４６】
低スピードのＵＥ１２０に対して、ＵＥ１２０からのフィードバックに基づいて、プリコーダが選択されてもよく、プリコーダは、チャネルが著しく変化する前に使用されてもよい。高スピードのＵＥ１２０に対して、いくつかの異なる（ランダムに選択された）プリコーダが、ＵＥ１２０に割り振られたデータのために使用される場合、プリコーダサイクリングのような、開ループスキームを用いることができる。先に論じたように、異なる方向にチャネルを“掃引すること”によって、これは、チャネルをエルゴード的に見えるようにさせてもよい。
【００４７】
いくつかの設計では、（閉ループおよび開ループ双方のビームフォーミングのための）ＵＥ−ＲＳベースの送信スキームは、ＲＢ内の（または、バンドリングが使用される場合には、１組の隣接するＲＢ内の）データとパイロットの双方に対して同じプリコーダを使用することを伴ってもよい。いくつかの設計では、プリコーディングベクトルのさらなるランダム化を達成するために、データに対してＣＤＤを使用してもよい。例えば、ある設計では、各ＲＢ（または、ＰＲＢバンドリングが使用される場合には、バンドリングされたＲＢの各組）において、パイロットをプリコーディングするためのプリコーディング行列が選ばれてもよい。
【００４８】
選ばれたプリコーディング行列Ｐは、Ｎ×ｒｌの大きさであってもよく、ここで、Ｎは、送信アンテナの数であり、ｒｌは、パイロット送信ランクである。ランクｒｌは、データに対する現在の送信ランクであるｒよりも大きくてもよく、または、ｒに等しくてもよい。１組のバンドリングされたＲＢ内でのパイロット送信は、プリコーディング行列Ｐの列に対応するプリコーディングを使用して送られてもよい。パイロットがプリコーディングされていることから、ＵＥ１２０は、使用されるプリコーディング行列を知る必要がないことに留意されたい。しかしながら、ＵＥ１２０は、バンドリングサイズ（同じプリコーダが使用されるＲＢの数）を知っている必要があるかもしれない。また、ＵＥ１２０は、ｒｌおよびｒを知っている必要があるかもしれない。したがって、ｅＮＢ１１０は、パイロットおよびデータの送信のために使用される送信ランクｒｌおよびｒを、ＵＥ１２０に送信してもよい。ＵＥ１２０はまた、プリコーディング行列Ｐを、データに対して使用されるプリコーディング行列にマッピングする変換も知っている必要があるかもしれない。
【００４９】
インデックス（ｆ，ｔ）の関数として示されているデータトーンに対して、使用されるプリコーディングは、ＰＵ（ｆ，ｔ）として表されてもよく、ここで、インデックスｆおよびｔは、それぞれ周波数ロケーションと時間ロケーションとを示す。この表現では、Ｕ（ｆ，ｔ）は、ｒｌ×ｒの大きさの行列であってもよい。ある設計では、完全な送信電力を利用するために、Ｕ行列が選ばれてもよい。ある設計では、Ｕ行列は、以下の数式のように選ばれてもよい：
【数１】
2015057902.tif 000003
【００５０】
演算＊は、行列の転置共役（エルミート共役）を表す。いくつかの設計では、ｒｌ＝ｒの場合に、Ｕ行列は、（実数のエントリまたは複素数のエントリを持つ）平方ユニタリー行列であってもよい。
【００５１】
変換行列Ｕは、変数ｆおよびｔの関数であり、可能性ある異なる行列が、各データロケーションに対して選ばれてもよいことを暗示していることに留意されたい。ある設計では、Ｕ行列のエントリの、変数ｆおよびｔへの関数依存性は、事前に選ばれ、ＵＥ１２０およびｅＮＢ１１０の双方において知られていてもよい。 
ある設計では、ｒｌ＝ｒであるときに、Ｕ（ｆ，ｔ）の１つの選択肢は、以下のようであってもよい：
【数２】
2015057902.tif 000004
【００５２】
数式（２）では、Ｄ（ｆ）は、以下の表１で示されているような要素を持つ対角行列である。数式（２）では、ＵRは、送信ランクｒに依存する、固定されたユニタリー行列である。以下の表１が、変換行列Ｕを発生させる１つの例を示していること、および、他の例もまた実現されてもよいことが理解される。
【表１】
2015057902.tif 000005
【００５３】
図３は、例えば、ｅＮＢ１１０において実現されるワイヤレス通信のためのプロセス３００のフローチャートを示す。ブロック３０２において、第１のプリコーディング行列（例えば、行列Ｐ）を使用して、パイロット信号の送信が実行され、パイロット信号の送信は、第１の送信ランク（例えば、ｒｌ）を有する。ブロック３０４において、第２のプリコーディング行列（例えば、ＰＵ（ｆ，ｔ））を使用して、データ送信が実行され、第１の送信ランクよりも低い、または、第１の送信ランクに等しい、第２の送信ランク（ｒ）を有するデータ送信が開示されている。第２のプリコーディング行列は、第１のプリコーディング行列の行列変換を含む。代替的に、第２の送信ランクが、第１の送信ランクよりも低い、または、第１の送信ランクに等しいときに、少なくとも２つのプリコーディング行列を使用して、データ送信を実行できる。したがって、データのために使用されるプリコーディング行列は、ユーザ機器固有のパイロット信号のために使用されるプリコーディング行列の行列変換である。いくつかの実施形態では、プロセス３００および上述したエレメントは、変化してもよく、提供する機能、実現、または、例に限定されない。
【００５４】
図４は、ワイヤレス通信用の装置４００のブロックダイヤグラム表現である。装置４００は、第１のプリコーディング行列を使用する際に、パイロット信号の送信を実行するモジュール４０２と、第２のプリコーディング行列を使用して、データ送信を実行するモジュール４０４とを含み、パイロット信号の送信は、第１の送信ランクを有し、データ送信は、第１の送信ランクよりも低い、または、第１の送信ランクに等しい、第２の送信ランクを有する。第２のプリコーディング行列は、第１のプリコーディング行列の行列変換を含む。代替的に、第２の送信ランクが、第１の送信ランクよりも低い、または、第１の送信ランクに等しいときに、少なくとも２つのプリコーディング行列を使用して、データ送信を実行できる。したがって、データのために使用されるプリコーディング行列は、ユーザ機器固有のパイロット信号のために使用されるプリコーディング行列の行列変換である。装置４００は、ここで開示するさまざまな技術を実現してもよい。いくつかの実施形態では、装置４００および上述したエレメントは、変化してもよく、提供する機能、構造、構成、実現、または、例に限定されない。
【００５５】
図５は、ユーザ機器参照信号（ＵＥ−ＲＳ）を使用して、巡回遅延ダイバーシティ（ＣＤＤ）送信を選択的に提供するプロセス５００が開示されているフローチャート表現を示す。ブロック５０２において、基地局とユーザ機器（ＵＥ）との間のチャネルの動作状態が決定される。ブロック５０４において、ＵＥに送信モードがシグナリングされ、ここで、リソースブロックにおけるパイロット送信は、プリコーディング行列を使用し、リソースブロックにおけるデータ送信は、プリコーディング行列の変換されたバージョンのうちの１つ以上を使用する。シグナリングされた送信モードは、例えば、ｅＮＢ１１０が、上述したＣＤＤ ＵＥ−ＲＳベースのスキームを使用するか、または、ＣＤＤを使用することなく送信するかを示してもよい。いくつかの実施形態では、プロセス５００および上述したエレメントは、変化してもよく、提供する機能、実現、または、例に限定されない。
【００５６】
図６は、ユーザ機器参照信号（ＵＥ−ＲＳ）を使用して、巡回遅延ダイバーシティ（ＣＤＤ）送信を選択的に提供する装置６００のブロックダイヤグラム表現を示す。装置６００は、基地局とユーザ機器（ＵＥ）との間のチャネルの動作状態を決定するモジュール６０２と、決定した動作状態に基づいて、ＵＥに送信モードをシグナリングするモジュール６０４とを含み、ここで、リソースブロックにおけるパイロット送信は、プリコーディング行列を使用し、リソースブロックにおけるデータ送信は、プリコーディング行列の変換されたバージョンのうちの１つ以上を使用する。いくつかの実施形態では、装置６００および上述したエレメントは、変化してもよく、提供する機能、構造、構成、実現、または、例に限定されない。
【００５７】
図７は、ワイヤレス通信のためのプロセス７００のフローチャートを示す。ブロック７０２において、第１のプリコーディング行列を使用するパイロット信号の送信が受信され、パイロット信号の送信は、第１の送信ランクを有する。ブロック７０４において、第２のプリコーディング行列を使用するデータ送信が受信され、データ送信は、第１の送信ランクよりも低い、または、第１の送信ランクに等しい、第２の送信ランクを有する。第２のプリコーディング行列は、第１のプリコーディング行列の変換されたバージョンを含む。代替的に、第２の送信ランクが第１の送信ランクに等しいときに、少なくとも２つのプリコーディング行列を使用するデータ送信を受信できる。したがって、データのために使用されるプリコーディング行列は、ユーザ機器固有のパイロット信号のために使用されるプリコーディング行列の行列変換である。いくつかの実施形態では、プロセス７００および上述したエレメントは、変化してもよく、提供する機能、実現、または、例に限定されない。
【００５８】
図８は、ワイヤレス通信装置８００のブロックダイヤグラム表現である。モジュール８０２は、第１のプリコーディング行列を使用するパイロット信号の送信を受信するために提供され、パイロット信号の送信は、第１の送信ランクを有する。モジュール８０４は、第２のプリコーディング行列を使用するデータ送信を受信するために提供され、データ送信は、第１の送信ランクよりも低い、または、第１の送信ランクに等しい、第２の送信ランクを有する。第２のプリコーディング行列は、第１のプリコーディング行列の変換されたバージョンを含む。代替的に、モジュール８０４は、第２の送信ランクが第１の送信ランクに等しいときに、少なくとも２つのプリコーディング行列を使用するデータ送信を受信できる。したがって、データのために使用されるプリコーディング行列は、ユーザ機器固有のパイロット信号のために使用されるプリコーディング行列の行列変換である。いくつかの実施形態では、装置８００および上述したエレメントは、変化してもよく、提供する機能、構造、構成、実現、または、例に限定されない。
【００５９】
図９は、ユーザ機器固有の参照信号（ＵＥ−ＲＳ）を使用する巡回遅延ダイバーシティ（ＣＤＤ）送信を選択的に受信するワイヤレス通信のためのプロセス９００のフローチャート表現である。ブロック９０２において、送信モードを受信する。ある態様では、送信モードは、１つ以上の送信スキームを含んでいてもよい。１つ以上の送信スキームは、ＣＤＤスキームを含んでいてもよい。ブロック９０４において、送信モードに基づいて、プリコーディング行列と、プリコーディング行列の変換されたバージョンとをそれぞれ使用する、リソースブロック中での、パイロット送信およびデータ送信を受信する。先に論じたように、プリコーディング行列は、行列Ｐを含んでもよく、変換されたバージョンは、行列Ｐ（ｆ，ｔ）を含んでもよい。
【００６０】
図１０は、ＵＥ−ＲＳを使用するＣＤＤ送信を選択的に受信する装置１０００が開示されているブロックダイヤグラム表現である。装置１０００は、送信モードを受信するモジュール１００２と、送信モードに基づいて、プリコーディング行列と、プリコーディング行列の変換されたバージョンとをそれぞれ使用する、リソースブロック中での、パイロット送信およびデータ送信を受信するモジュール１００４とを含む。いくつかの実施形態では、装置１０００および上述したエレメントは、変化してもよく、提供する機能、構造、構成、実現、または、例に限定されない。
【００６１】
本開示は、ｅＮＢ１１０からＵＥ１２０への複数のビームフォーメーションを使用することによってデータを送信する技術を提供していることが、正しく認識されるだろう。複数のビームフォーメーションは、同じＲＢ中でのパイロット送信のために使用されるプリコーディング行列の変換されたバージョンである、データ送信のためのプリコーディング行列を使用することによって達成されてもよい。変換は、行列と乗算することによって、実行されてもよい。
【００６２】
データ送信のために使用される送信ランクよりも高い送信ランクを使用して、パイロットが送信されてもよいことがさらに正しく認識されるだろう。ランク計算は、チャネル状態情報参照信号（ＣＳＩ−ＲＳ）から取得したチャネル品質結果を使用して、または、アップリンク測定値に基づいて、実行されてもよい。
【００６３】
ＵＥ−ＲＳによる巡回遅延ダイバーシティを使用するための技術を開示し、ここで、同じプリコーディング行列（または、そのベクトルの線形結合）が、送信をプリコーディングするために使用されることがさらに正しく認識されるだろう。さらに、プリコーダ行列のベクトルを結合するために、数式（１）を満たす行列を使用することによって、データ送信における送信電力レベルの可能性ある損失を緩和できる。
【００６４】
当業者は、さまざまな異なる技術および技法のうちのいずれかを使用して、情報ならびに信号を表現してもよいことを理解するだろう。先の説明全体を通して参照した、例えば、データ、命令、コマンド、情報、信号、ビット、シンボル、およびチップは、電圧、電流、電磁波、磁界または磁気の粒子、光学界または光の粒子、あるいはこれらの任意の組み合わせによって表されてもよい。
【００６５】
ここでの開示に関連して説明した、さまざまな例示的な論理ブロック、モジュール、およびアルゴリズムステップは、電子ハードウェア、コンピュータソフトウェア、あるいは双方を組み合わせたものとして実現してもよいことを、当業者はさらに正しく認識するだろう。ハードウェアおよびソフトウェアのこの互換性を明確に図示するために、さまざまな例示的なコンポーネント、ブロック、モジュール、回路、およびステップを、これらの機能性の観点から先に概して説明した。このような機能性が、ハードウェアまたはソフトウェアとして実現されるか否かは、システム全体に課せられている、特定の応用および設計の制約に依存する。熟練者は、それぞれの特定の応用に対して方法を変化させて、説明した機能性を実現してもよいが、そのような実現の決定は、本開示の範囲からの逸脱を生じさせるものとして解釈すべきではない。
【００６６】
ここでの開示に関連して説明した、さまざまな例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは、ここで説明した機能を実行するように設計されているこれらの任意の組み合わせで、実現または実行してもよい。汎用プロセッサは、マイクロプロセッサであってもよいが、代替実施形態として、このプロセッサは、何らかの従来のプロセッサ、制御装置、マイクロ制御装置、またはステートマシンであってもよい。プロセッサはまた、コンピューティングデバイスの組み合わせとして、例えば、ＤＳＰとマイクロプロセッサとの組み合わせ、複数のマイクロプロセッサ、ＤＳＰコアを伴う１つ以上のマイクロプロセッサ、または、他の何らかのこのような構成として、実現されてもよい。
【００６７】
ここでの開示に関連して説明した方法またはアルゴリズムのステップは、ハードウェアで、プロセッサにより実行されるソフトウェアモジュールで、あるいは、２つのものを組み合わせたもので、直接具現化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、または、技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合される。代替実施形態では、記憶媒体は、プロセッサに一体化していてもよい。プロセッサおよび記憶媒体は、ＡＳＩＣに存在していてもよい。ＡＳＩＣは、ユーザ端末に存在していてもよい。代替実施形態では、プロセッサおよび記憶媒体は、ユーザ端末中にディスクリートコンポーネントとして存在していてもよい。
【００６８】
１つ以上の例示的な設計では、説明した機能は、ハードウェア、ソフトウェア、ファームウェア、またはこれらの任意の組み合わせで実現してもよい。ソフトウェアで実現した場合、機能は、１つ以上の命令またはコードとして、コンピュータ読取可能媒体上に記憶してもよく、あるいは、コンピュータ読取可能媒体を通して送信してもよい。コンピュータ読取可能媒体は、１つの場所から別の場所へのコンピュータプログラムの転送を促進する何らかの媒体を含む、コンピュータ記憶媒体および通信媒体の双方を含む。記憶媒体は、汎用コンピュータまたは特殊目的コンピュータによってアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、汎用コンピュータまたは特殊目的コンピュータ、もしくは、汎用プロセッサまたは特殊目的プロセッサによりアクセスでき、命令またはデータ構造の形態で所望のプログラムコード手段を伝送または記憶するために使用できる他の何らかの媒体を含むことができる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含んでいる。ここで、ディスク（ｄｉｓｋ）が通常、データを磁気的に再生する一方で、ディスク（ｄｉｓｃ）はデータをレーザによって光学的に再生する。先のものを組み合わせたものもまた、コンピュータ読取可能媒体の範囲内に含められるべきである。
【００６９】
本開示のこれまでの記述は、当業者が本開示を製作または使用できるように提供した。本開示に対するさまざま改良は当業者に容易に明らかとなり、ここに規定した一般的な原理は、本開示の精神または範囲から逸脱することなく、他のバリエーションに適用されてもよい。したがって、本開示は、ここで説明した例および設計に限定されることを意図しているものではなく、ここで開示した原理および新規の特徴と一致した最も広い範囲に一致させるべきである。
【図１】
2015057902.tif 000006
【図２】
2015057902.tif 000007
【図３】
2015057902.tif 000008
【図４】
2015057902.tif 000009
【図５】
2015057902.tif 000010
【図６】
2015057902.tif 000011
【図７】
2015057902.tif 000012
【図８】
2015057902.tif 000013
【図９】
2015057902.tif 000014
【図１０】
2015057902.tif 000015
【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
ユーザ機器参照信号を使用して、巡回遅延ダイバーシティ送信を選択的に提供する方法において、
前記方法は、
基地局とユーザ機器との間のチャネルの動作状態を決定することと、
前記決定した動作状態に基づいて、前記ユーザ機器に送信モードをシグナリングすることとを含み、
少なくとも１つの送信スキームは、第１のプリコーディング行列を使用する、リソースブロックでのユーザ機器固有のパイロット送信と、前記第１のプリコーディング行列の変換されたバージョンのうちの１つ以上を使用する、前記リソースブロックでのデータ送信とを含む方法。
【請求項２】
前記動作状態を決定することは、前記ユーザ機器のドップラースピードを決定することを含む請求項１記載の方法。
【請求項３】
前記パイロット送信は第１の送信ランクを有し、前記データ送信は第２の送信ランクを有する請求項１記載の方法。
【請求項４】
前記データ送信は、第２の送信ランクが第１の送信ランクに等しいときに、少なくとも２つのプリコーディング行列を使用する請求項１記載の方法。
【請求項５】
前記パイロット送信は、ユーザ機器固有のパイロット信号のための第１のプリコーディング行列を使用する請求項１記載の方法。
【請求項６】
ユーザ機器フィードバックまたはアップリンク測定値に基づいて、第１の送信ランクと第２の送信ランクとを決定することをさらに含む請求項１記載の方法。
【請求項７】
第１の送信ランクおよび第２の送信ランクを前記ユーザ機器に提供することをさらに含む請求項１記載の方法。
【請求項８】
ユーザ機器参照信号（ＵＥ−ＲＳ）を使用して、巡回遅延ダイバーシティ（ＣＤＤ）送信を選択的に提供する装置において、
基地局とユーザ機器（ＵＥ）との間のチャネルの動作状態を決定する手段と、
前記決定した動作状態に基づいて、前記ユーザ機器に送信モードをシグナリングする手段とを具備し、
少なくとも１つの送信スキームは、第１のプリコーディング行列を使用する、リソースブロックでのユーザ機器固有のパイロット送信と、前記第１のプリコーディング行列の変換されたバージョンのうちの１つ以上を使用する、前記リソースブロックでのデータ送信とを含む装置。
【請求項９】
前記動作状態を決定する手段は、前記ユーザ機器のドップラースピードを決定する手段を備える請求項８記載の装置。
【請求項１０】
前記パイロット送信は第１の送信ランクを有し、前記データ送信は第２の送信ランクを有する請求項８記載の装置。
【請求項１１】
前記データ送信は、第２の送信ランクが第１の送信ランクに等しいときに、少なくとも２つのプリコーディング行列を使用する請求項８記載の装置。
【請求項１２】
前記パイロット送信は、ユーザ機器固有のパイロット信号のための第１のプリコーディング行列を使用する請求項８記載の装置。
【請求項１３】
ユーザ機器フィードバックまたはアップリンク測定値に基づいて、第１の送信ランクと第２の送信ランクとを決定する手段をさらに具備する請求項８記載の装置。
【請求項１４】
第１の送信ランクおよび第２の送信ランクを前記ユーザ機器に提供する手段をさらに具備する請求項８記載の装置。
【請求項１５】
ワイヤレス通信装置において、
基地局とユーザ機器との間のチャネルの動作状態を決定し、
前記決定した動作状態に基づいて、前記ユーザ機器に送信モードをシグナリングする、
ための命令を記憶するメモリと、
前記命令を実行するプロセッサとを具備し、
少なくとも１つの送信スキームは、第１のプリコーディング行列を使用する、リソースブロックでのユーザ機器固有のパイロット送信と、前記第１のプリコーディング行列の変換されたバージョンのうちの１つ以上を使用する、前記リソースブロックでのデータ送信とを含む装置。
【請求項１６】
命令を記憶する有体的なコンピュータ読取可能媒体を具備するコンピュータプログラムプロダクトにおいて、
前記命令は、
基地局とユーザ機器との間のチャネルの動作状態を決定するためのコードと、
前記決定した動作状態に基づいて、前記ユーザ機器に送信モードをシグナリングするためのコードとを含み、
少なくとも１つの送信スキームは、第１のプリコーディング行列を使用する、リソースブロックでのユーザ機器固有パイロット送信と、前記第１のプリコーディング行列の変換されたバージョンのうちの１つ以上を使用する、前記リソースブロックでのデータ送信とを含むコンピュータプログラムプロダクト。
【請求項１７】
ユーザ機器参照信号（ＵＥ−ＲＳ）を使用して、巡回遅延ダイバーシティ（ＣＤＤ）送信を選択的に受信する方法において、
前記方法は、
送信モードを受信することと、
前記受信した送信モードに基づいて、プリコーディング行列を使用する、リソースブロック中での、パイロット送信と、前記プリコーディング行列の変換されたバージョンを使用する、前記リソースブロック中での、データ送信とを受信することとを含む方法。
【請求項１８】
第１の送信ランクおよび第２の送信ランクの値を受信することをさらに含む請求項１７記載の方法。
【請求項１９】
前記受信したパイロット送信は第１の送信ランクを有し、前記受信したデータ送信は第２の送信ランクを有する請求項１７記載の方法。
【請求項２０】
前記データ送信は、第２の送信ランクが第１の送信ランクに等しいときに、少なくとも２つのプリコーディング行列を使用する請求項１７記載の方法。
【請求項２１】
前記パイロット送信は、ユーザ機器固有のパイロット信号のためのプリコーディング行列を使用する請求項１７記載の方法。
【請求項２２】
ユーザ機器参照信号（ＵＥ−ＲＳ）を使用する巡回遅延ダイバーシティ（ＣＤＤ）送信を選択的に受信する装置において、
送信モードを受信する手段と、
前記受信した送信モードに基づいて、プリコーディング行列を使用する、リソースブロック中での、パイロット送信と、前記プリコーディング行列の変換されたバージョンを使用する、前記リソースブロックでの、データ送信とを受信する手段とを具備する装置。
【請求項２３】
第１の送信ランクおよび第２の送信ランクの値を受信する手段をさらに具備する請求項２２記載の装置。
【請求項２４】
前記受信したパイロット送信は第１の送信ランクを有し、前記受信したデータ送信は第２の送信ランクを有する請求項２２記載の装置。
【請求項２５】
前記データ送信は、第２の送信ランクが第１の送信ランクに等しいときに、少なくとも２つのプリコーディング行列を使用する請求項２２記載の装置。
【請求項２６】
前記パイロット送信は、ユーザ機器固有のパイロット信号のためのプリコーディング行列を使用する請求項２２記載の装置。
【請求項２７】
ワイヤレス通信装置において、
送信モードを受信し、
前記受信した送信モードに基づいて、プリコーディング行列を使用する、リソースブロック中での、パイロット送信と、前記プリコーディング行列の変換されたバージョンを使用する、前記リソースブロック中での、データ送信とを受信する、
ための命令を記憶するメモリと、
前記命令を実行するプロセッサとを具備する装置。
【請求項２８】
ユーザ機器参照信号（ＵＥ−ＲＳ）を使用する巡回遅延ダイバーシティ（ＣＤＤ）送信を選択的に受信するための命令を含む有体的なコンピュータ読取可能メモリを具備するコンピュータプログラムプロダクトにおいて、
前記命令は、
送信モードを受信するためのコードと、
前記送信モードに基づいて、プリコーディング行列と、前記プリコーディング行列の変換されたバージョンとをそれぞれ使用する、リソースブロック中での、パイロット送信およびデータ送信を受信するためのコードとを含むコンピュータプログラムプロダクト。
【手続補正２】
【補正対象書類名】明細書
【補正対象項目名】００６９
【補正方法】変更
【補正の内容】
【００６９】
本開示のこれまでの記述は、当業者が本開示を製作または使用できるように提供した。本開示に対するさまざま改良は当業者に容易に明らかとなり、ここに規定した一般的な原理は、本開示の精神または範囲から逸脱することなく、他のバリエーションに適用されてもよい。したがって、本開示は、ここで説明した例および設計に限定されることを意図しているものではなく、ここで開示した原理および新規の特徴と一致した最も広い範囲に一致させるべきである。
以下に、出願当初の特許請求の範囲に記載された発明を付記する。
［Ｃ１］
ワイヤレス通信方法において、
ユーザ機器固有のパイロット信号のためのプリコーディング行列を使用して、パイロット信号の送信を実行することと、
データのための少なくとも２つのプリコーディング行列を使用して、データ送信を実行することとを含み、
前記パイロット信号の送信は、第１の送信ランクを有し、
前記データ送信は、前記第１の送信ランクよりも低い、または、前記第１の送信ランクに等しい、第２の送信ランクを有し、
前記データに対して使用されるプリコーディング行列は、前記ユーザ機器固有のパイロット信号に対して使用されるプリコーディング行列の変換されたバージョンを含む方法。
［Ｃ２］
ユーザ機器フィードバックまたはアップリンク測定値に基づいて、前記第１の送信ランクと前記第２の送信ランクとを決定することをさらに含むＣ１記載の方法。
［Ｃ３］
前記第１の送信ランクおよび前記第２の送信ランクをユーザ機器に提供することをさらに含むＣ１記載の方法。
［Ｃ４］
前記プリコーディング行列の前記変換されたバージョンは、少なくとも、直交周波数分割多重化（ＯＦＤＭ）シンボル数、副搬送波のインデックス、または、ユーザ機器のパラメータの関数として実行されるＣ１記載の方法。
［Ｃ５］
前記データを復調するためのチャネル推定を取得するために、ユーザ機器参照信号（ＵＥ−ＲＳ）から取得したチャネル推定を変換するための情報をユーザ機器に伝えることをさらに含むＣ１記載の方法。
［Ｃ６］
ワイヤレス通信装置において、
ユーザ機器固有のパイロット信号のためのプリコーディング行列を使用して、パイロット信号の送信を実行する手段と、
データのための少なくとも２つのプリコーディング行列を使用して、データ送信を実行する手段とを具備し、
前記パイロット信号の送信は、第１の送信ランクを有し、
前記データ送信は、前記第１の送信ランクに等しい第２の送信ランクを有し、
前記データに対して使用されるプリコーディング行列は、前記ユーザ機器固有のパイロット信号に対して使用されるプリコーディング行列の変換されたバージョンを含む装置。
［Ｃ７］
ユーザ機器フィードバックまたはアップリンク測定値に基づいて、前記第１の送信ランクと前記第２の送信ランクとを決定する手段をさらに具備するＣ６記載の装置。
［Ｃ８］
前記第１の送信ランクおよび前記第２の送信ランクをユーザ機器に提供する手段をさらに具備するＣ６記載の装置。
［Ｃ９］
前記プリコーディング行列の前記変換されたバージョンは、少なくとも、直交周波数分割多重化（ＯＦＤＭ）シンボル数、副搬送波のインデックス、または、ユーザ機器のパラメータの関数として実行されるＣ６記載の装置。
［Ｃ１０］
前記データを復調するためのチャネル推定を取得するために、ユーザ機器参照信号（ＵＥ−ＲＳ）から取得したチャネル推定を変換するための情報をユーザ機器に伝える手段をさらに具備するＣ６記載の装置。
［Ｃ１１］
ワイヤレス通信装置において、
ユーザ機器固有のパイロット信号のためのプリコーディング行列を使用して、パイロット信号の送信を実行し、
データのための少なくとも２つのプリコーディング行列を使用して、データ送信を実行する、
ための命令を記憶するメモリと、
前記命令を実行するプロセッサとを具備し、
前記パイロット信号の送信は、第１の送信ランクを有し、
前記データ送信は、前記第１の送信ランクに等しい第２の送信ランクを有し、
前記データに対して使用されるプリコーディング行列は、前記ユーザ機器固有のパイロット信号に対して使用されるプリコーディング行列の変換されたバージョンを含む装置。
［Ｃ１２］
命令を記憶する有体的なコンピュータ読取可能媒体を具備するコンピュータプログラムプロダクトにおいて、
前記命令は、
ユーザ機器固有のパイロット信号のためのプリコーディング行列を使用して、パイロット信号の送信を実行するためのコードと、
データのための少なくとも２つのプリコーディング行列を使用して、データ送信を実行するためのコードとを含み、
前記パイロット信号の送信は、第１の送信ランクを有し、
前記データ送信は、前記第１の送信ランクに等しい第２の送信ランクを有し、
前記データに対して使用されるプリコーディング行列は、前記ユーザ機器固有のパイロット信号に対して使用されるプリコーディング行列の変換されたバージョンを含むコンピュータプログラムプロダクト。
［Ｃ１３］
ワイヤレス通信方法において、
ユーザ機器固有のパイロット信号のための第１のプリコーディング行列を使用して、パイロット信号の送信を実行することと、
データのための第２のプリコーディング行列を使用して、データ送信を実行することとを含み、
前記パイロット信号の送信は、第１の送信ランクを有し、
前記データ送信は、前記第１の送信ランクよりも低い第２の送信ランクを有し、
前記第２のプリコーディング行列は、前記第１のプリコーディング行列の変換されたバージョンを含む方法。
［Ｃ１４］
ユーザ機器フィードバックまたはアップリンク測定値に基づいて、前記第１の送信ランクと前記第２の送信ランクとを決定することをさらに含むＣ１３記載の方法。
［Ｃ１５］
前記第１の送信ランクおよび前記第２の送信ランクをユーザ機器に提供することをさらに含むＣ１３記載の方法。
［Ｃ１６］
ワイヤレス通信装置において、
ユーザ機器固有のパイロット信号のための第１のプリコーディング行列を使用して、パイロット信号の送信を実行する手段と、
データのための第２のプリコーディング行列を使用して、データ送信を実行する手段とを具備し、
前記パイロット信号の送信は、第１の送信ランクを有し、
前記データ送信は、前記第１の送信ランクよりも低い第２の送信ランクを有し、
前記第２のプリコーディング行列は、前記第１のプリコーディング行列の変換されたバージョンを含む装置。
［Ｃ１７］
ユーザ機器フィードバックまたはアップリンク測定値に基づいて、前記第１の送信ランクと前記第２の送信ランクとを決定する手段をさらに具備するＣ１６記載の装置。
［Ｃ１８］
前記第１の送信ランクおよび前記第２の送信ランクをユーザ機器に提供する手段をさらに具備するＣ１６記載の装置。
［Ｃ１９］
ワイヤレス通信装置において、
ユーザ機器固有のパイロット信号のための第１のプリコーディング行列を使用して、パイロット信号の送信を実行し、
データのための第２のプリコーディング行列を使用して、データ送信を実行する、
ための命令を記憶するメモリと、
前記命令を実行するプロセッサとを具備し、
前記パイロット信号の送信は、第１の送信ランクを有し、
前記データ送信は、前記第１の送信ランクよりも低い第２の送信ランクを有し、
前記第２のプリコーディング行列は、前記第１のプリコーディング行列の変換されたバージョンを含む装置。
［Ｃ２０］
命令を記憶する有体的なコンピュータ読取可能媒体を具備するコンピュータプログラムプロダクトにおいて、
前記命令は、
ユーザ機器固有のパイロット信号のための第１のプリコーディング行列を使用して、パイロット信号の送信を実行するためのコードと、
データのための第２のプリコーディング行列を使用して、データ送信を実行するためのコードとを含み、
前記パイロット信号の送信は、第１の送信ランクを有し、
前記データ送信は、前記第１の送信ランクよりも低い第２の送信ランクを有し、
前記第２のプリコーディング行列は、前記第１のプリコーディング行列の変換されたバージョンを含むコンピュータプログラムプロダクト。
［Ｃ２１］
ユーザ機器参照信号を使用して、巡回遅延ダイバーシティ送信を選択的に提供する方法において、
前記方法は、
基地局とユーザ機器との間のチャネルの動作状態を決定することと、
前記決定した動作状態に基づいて、前記ユーザ機器に送信モードをシグナリングすることとを含み、
少なくとも１つの送信スキームは、第１のプリコーディング行列を使用する、リソースブロックでのユーザ機器固有のパイロット送信と、前記第１のプリコーディング行列の変換されたバージョンのうちの１つ以上を使用する、前記リソースブロックでのデータ送信とを含む方法。
［Ｃ２２］
前記動作状態を決定することは、前記ユーザ機器のドップラースピードを決定することを含むＣ２１記載の方法。
［Ｃ２３］
前記パイロット送信は第１の送信ランクを有し、前記データ送信は第２の送信ランクを有するＣ２１記載の方法。
［Ｃ２４］
前記データ送信は、第２の送信ランクが第１の送信ランクに等しいときに、少なくとも２つのプリコーディング行列を使用するＣ２１記載の方法。
［Ｃ２５］
前記パイロット送信は、ユーザ機器固有のパイロット信号のための第１のプリコーディング行列を使用するＣ２１記載の方法。
［Ｃ２６］
ユーザ機器フィードバックまたはアップリンク測定値に基づいて、第１の送信ランクと第２の送信ランクとを決定することをさらに含むＣ２１記載の方法。
［Ｃ２７］
第１の送信ランクおよび第２の送信ランクを前記ユーザ機器に提供することをさらに含むＣ２１記載の方法。
［Ｃ２８］
ユーザ機器参照信号（ＵＥ−ＲＳ）を使用して、巡回遅延ダイバーシティ（ＣＤＤ）送信を選択的に提供する装置において、
基地局とユーザ機器（ＵＥ）との間のチャネルの動作状態を決定する手段と、
前記決定した動作状態に基づいて、前記ユーザ機器に送信モードをシグナリングする手段とを具備し、
少なくとも１つの送信スキームは、第１のプリコーディング行列を使用する、リソースブロックでのユーザ機器固有のパイロット送信と、前記第１のプリコーディング行列の変換されたバージョンのうちの１つ以上を使用する、前記リソースブロックでのデータ送信とを含む装置。
［Ｃ２９］
前記動作状態を決定する手段は、前記ユーザ機器のドップラースピードを決定する手段を備えるＣ２８記載の装置。
［Ｃ３０］
前記パイロット送信は第１の送信ランクを有し、前記データ送信は第２の送信ランクを有するＣ２８記載の装置。
［Ｃ３１］
前記データ送信は、第２の送信ランクが第１の送信ランクに等しいときに、少なくとも２つのプリコーディング行列を使用するＣ２８記載の装置。
［Ｃ３２］
前記パイロット送信は、ユーザ機器固有のパイロット信号のための第１のプリコーディング行列を使用するＣ２８記載の装置。
［Ｃ３３］
ユーザ機器フィードバックまたはアップリンク測定値に基づいて、第１の送信ランクと第２の送信ランクとを決定する手段をさらに具備するＣ２８記載の装置。
［Ｃ３４］
第１の送信ランクおよび第２の送信ランクを前記ユーザ機器に提供する手段をさらに具備するＣ２８記載の装置。
［Ｃ３５］
ワイヤレス通信装置において、
基地局とユーザ機器との間のチャネルの動作状態を決定し、
前記決定した動作状態に基づいて、前記ユーザ機器に送信モードをシグナリングする、
ための命令を記憶するメモリと、
前記命令を実行するプロセッサとを具備し、
少なくとも１つの送信スキームは、第１のプリコーディング行列を使用する、リソースブロックでのユーザ機器固有のパイロット送信と、前記第１のプリコーディング行列の変換されたバージョンのうちの１つ以上を使用する、前記リソースブロックでのデータ送信とを含む装置。
［Ｃ３６］
命令を記憶する有体的なコンピュータ読取可能媒体を具備するコンピュータプログラムプロダクトにおいて、
前記命令は、
基地局とユーザ機器との間のチャネルの動作状態を決定するためのコードと、
前記決定した動作状態に基づいて、前記ユーザ機器に送信モードをシグナリングするためのコードとを含み、
少なくとも１つの送信スキームは、第１のプリコーディング行列を使用する、リソースブロックでのユーザ機器固有パイロット送信と、前記第１のプリコーディング行列の変換されたバージョンのうちの１つ以上を使用する、前記リソースブロックでのデータ送信とを含むコンピュータプログラムプロダクト。
［Ｃ３７］
ワイヤレス通信方法において、
ユーザ機器固有のパイロット信号のための第１のプリコーディング行列を使用するパイロット信号の送信を受信することと、
データのための第２のプリコーディング行列を使用するデータ送信を受信することとを含み、
前記パイロット信号の送信は、第１の送信ランクを有し、
前記データ送信は、前記第１の送信ランクよりも低い第２の送信ランクを有し、
前記第２のプリコーディング行列は、前記第１のプリコーディング行列の変換されたバージョンを含む方法。
［Ｃ３８］
前記第１の送信ランクおよび前記第２の送信ランクの値を受信することをさらに含むＣ３７記載の方法。
［Ｃ３９］
ワイヤレス通信装置において、
ユーザ機器固有のパイロット信号のための第１のプリコーディング行列を使用するパイロット信号の送信を受信する手段と、
データのための第２のプリコーディング行列を使用するデータ送信を受信する手段とを具備し、
前記パイロット信号の送信は、第１の送信ランクを有し、
前記データ送信は、前記第１の送信ランクよりも低い第２の送信ランクを有し、
前記第２のプリコーディング行列は、前記第１のプリコーディング行列の変換されたバージョンを含む装置。
［Ｃ４０］
前記第１の送信ランクおよび前記第２の送信ランクの値を受信する手段をさらに具備するＣ３９記載の装置。
［Ｃ４１］
ワイヤレス通信装置において、
ユーザ機器固有のパイロット信号のための第１のプリコーディング行列を使用するパイロット信号の送信を受信し、
データのための第２のプリコーディング行列を使用するデータ送信を受信する、
ための命令を記憶するメモリと、
前記命令を実行するプロセッサとを具備し、
前記パイロット信号の送信は、第１の送信ランクを有し、
前記データ送信は、前記第１の送信ランクよりも低い第２の送信ランクを有し、
前記第２のプリコーディング行列は、前記第１のプリコーディング行列の変換されたバージョンを含む装置。
［Ｃ４２］
命令を記憶する有体的なコンピュータ読取可能媒体を具備するコンピュータプログラムプロダクトにおいて、
前記命令は、
ユーザ機器固有のパイロット信号のための第１のプリコーディング行列を使用するパイロット信号の送信を受信するためのコードと、
データのための第２のプリコーディング行列を使用するデータ送信を受信するためのコードとを含み、
前記パイロット信号の送信は、第１の送信ランクを有し、
前記データ送信は、前記第１の送信ランクよりも低い第２の送信ランクを有し、
前記第２のプリコーディング行列は、前記第１のプリコーディング行列の変換されたバージョンを含むコンピュータプログラムプロダクト。
［Ｃ４３］
ワイヤレス通信方法において、
ユーザ機器固有のパイロット信号のためのプリコーディング行列を使用するパイロット信号の送信を受信することと、
データのための少なくとも２つのプリコーディング行列を使用するデータ送信を受信することとを含み、
前記パイロット信号の送信は、第１の送信ランクを有し、
前記データ送信は、前記第１の送信ランクに等しい第２の送信ランクを有し、
前記データに対して使用されるプリコーディング行列は、前記ユーザ機器固有のパイロット信号に対して使用されるプリコーディング行列の変換されたバージョンである方法。
［Ｃ４４］
前記第１の送信ランクおよび前記第２の送信ランクの値を受信することをさらに含むＣ４３記載の方法。
［Ｃ４５］
ワイヤレス通信装置において、
ユーザ機器固有のパイロット信号のためのプリコーディング行列を使用するパイロット信号の送信を受信する手段と、
データのための少なくとも２つのプリコーディング行列を使用するデータ送信を受信する手段とを具備し、
前記パイロット信号の送信は、第１の送信ランクを有し、
前記データ送信は、前記第１の送信ランクに等しい第２の送信ランクを有し、
前記データに対して使用されるプリコーディング行列は、前記ユーザ機器固有のパイロット信号に対して使用されるプリコーディング行列の変換されたバージョンである装置。
［Ｃ４６］
前記第１の送信ランクおよび前記第２の送信ランクの値を受信する手段をさらに具備するＣ４５記載の装置。
［Ｃ４７］
ワイヤレス通信装置において、
ユーザ機器固有のパイロット信号のためのプリコーディング行列を使用するパイロット信号の送信を受信し、
データのための少なくとも２つのプリコーディング行列を使用するデータ送信を受信する、
ための命令を記憶するメモリと、
前記命令を実行するプロセッサとを具備し、
前記パイロット信号の送信は、第１の送信ランクを有し、
前記データ送信は、前記第１の送信ランクに等しい第２の送信ランクを有し、
前記データに対して使用されるプリコーディング行列は、前記ユーザ機器固有のパイロット信号に対して使用されるプリコーディング行列の変換されたバージョンである装置。
［Ｃ４８］
命令を記憶する有体的なコンピュータ読取可能媒体を具備するコンピュータプログラムプロダクトにおいて、
前記命令は、
ユーザ機器固有のパイロット信号のためのプリコーディング行列を使用するパイロット信号の送信を受信するためのコードと、
データのための少なくとも２つのプリコーディング行列を使用するデータ送信を受信するためのコードとを含み、
前記パイロット信号の送信は、第１の送信ランクを有し、
前記データ送信は、前記第１の送信ランクに等しい第２の送信ランクを有し、
前記データに対して使用されるプリコーディング行列は、前記ユーザ機器固有のパイロット信号に対して使用されるプリコーディング行列の変換されたバージョンであるコンピュータプログラムプロダクト。
［Ｃ４９］
ユーザ機器参照信号（ＵＥ−ＲＳ）を使用して、巡回遅延ダイバーシティ（ＣＤＤ）送信を選択的に受信する方法において、
前記方法は、
送信モードを受信することと、
前記受信した送信モードに基づいて、プリコーディング行列を使用する、リソースブロック中での、パイロット送信と、前記プリコーディング行列の変換されたバージョンを使用する、前記リソースブロック中での、データ送信とを受信することとを含む方法。
［Ｃ５０］
第１の送信ランクおよび第２の送信ランクの値を受信することをさらに含むＣ４９記載の方法。
［Ｃ５１］
前記受信したパイロット送信は第１の送信ランクを有し、前記受信したデータ送信は第２の送信ランクを有するＣ４９記載の方法。
［Ｃ５２］
前記データ送信は、第２の送信ランクが第１の送信ランクに等しいときに、少なくとも２つのプリコーディング行列を使用するＣ４９記載の方法。
［Ｃ５３］
前記パイロット送信は、ユーザ機器固有のパイロット信号のためのプリコーディング行列を使用するＣ４９記載の方法。
［Ｃ５４］
ユーザ機器参照信号（ＵＥ−ＲＳ）を使用する巡回遅延ダイバーシティ（ＣＤＤ）送信を選択的に受信する装置において、
送信モードを受信する手段と、
前記受信した送信モードに基づいて、プリコーディング行列を使用する、リソースブロック中での、パイロット送信と、前記プリコーディング行列の変換されたバージョンを使用する、前記リソースブロックでの、データ送信とを受信する手段とを具備する装置。
［Ｃ５５］
第１の送信ランクおよび第２の送信ランクの値を受信する手段をさらに具備するＣ５４記載の装置。
［Ｃ５６］
前記受信したパイロット送信は第１の送信ランクを有し、前記受信したデータ送信は第２の送信ランクを有するＣ５４記載の装置。
［Ｃ５７］
前記データ送信は、第２の送信ランクが第１の送信ランクに等しいときに、少なくとも２つのプリコーディング行列を使用するＣ５４記載の装置。
［Ｃ５８］
前記パイロット送信は、ユーザ機器固有のパイロット信号のためのプリコーディング行列を使用するＣ５４記載の装置。
［Ｃ５９］
ワイヤレス通信装置において、
送信モードを受信し、
前記受信した送信モードに基づいて、プリコーディング行列を使用する、リソースブロック中での、パイロット送信と、前記プリコーディング行列の変換されたバージョンを使用する、前記リソースブロック中での、データ送信とを受信する、
ための命令を記憶するメモリと、
前記命令を実行するプロセッサとを具備する装置。
［Ｃ６０］
ユーザ機器参照信号（ＵＥ−ＲＳ）を使用する巡回遅延ダイバーシティ（ＣＤＤ）送信を選択的に受信するための命令を含む有体的なコンピュータ読取可能メモリを具備するコンピュータプログラムプロダクトにおいて、
前記命令は、
送信モードを受信するためのコードと、
前記送信モードに基づいて、プリコーディング行列と、前記プリコーディング行列の変換されたバージョンとをそれぞれ使用する、リソースブロック中での、パイロット送信およびデータ送信を受信するためのコードとを含むコンピュータプログラムプロダクト。
【外国語明細書】
2015057902000001.pdf